(57)【特許請求の範囲】
【請求項１】
本体キャビネット内に断熱区画し、前面を断熱性の内扉で開閉可能に閉鎖した商品収納庫内に収納した商品ラックに収納して冷蔵保管された商品を、一個宛搬出して、内扉に開口した搬出口に向かって下り勾配にしたシュータ上を滑らせて搬送して、外扉の内側に設けた商品取出口バケットに搬出して販売に供する自動販売機において、前記商品ラックは、商品を載置する室の底面に断面形状が半円形の４本のレールを所定の間隔で平行に並べたラックガイドを備え、当該ラックガイドは、鋼板の両縁部を２重折りに折り返して、折り返し部が外側のレールを形成するようにコ字状に折り曲げて形成した部材の内側に、鋼板の両縁部を２重折りに折り返して、折り返し部が前記部材より幅が狭く、前記部材の上に重ねた際に前記外側のレールと同じ高さになる内側のレールを形成するようにコ字状に折り曲げて形成した部材を前記部材の上に重ねて固定してなることを特徴とする自動販売機。
【発明の詳細な説明】
【０００１】
【発明の属する技術分野】
この発明は、瓶入りの牛乳などの商品を販売する自動販売機に関する。
【０００２】
【従来の技術】
図６は従来例の構成を示し、（ａ）は商品ラックの外観図、（ｂ）は（ａ）の出口側の一部を拡大した図を示す。この図６において、５は牛乳を瓶に封入した商品、６は商品ラック、６ａは商品ラック６の商品５を載置するラックガイド、６ｂは商品５の側面を支持するアタッチメント、６ｃはアタッチメント６ｂにより支持する側の反対側の側面を支持する固定リブを示す。この図６において、商品ラック６は隔壁で仕切られた各室の底面に２本のレールを有するラックガイド６ａを敷設し、隔壁にアタッチメント６ｂおよび固定リブ６ｃを配して商品を一列に並べて前記ラックガイド６ａと両側面をアタッチメント６ｂおよび固定リブ６ｃとで支持して保管しており、前記ラックガイド６ａのレールが出口に向かって下り勾配になるように、商品収納庫内に傾けて取付けられている。
【０００３】
前記商品は瓶サイズが異なるものがあり、商品５の瓶サイズ（図４参照）に合わせてそれぞれのサイズに最適なレール幅のラックガイド６ａが使用されている。
【０００４】
【発明が解決しようとする課題】
ところで従来の構成では商品ラックに載置する商品のサイズは予め決められており、決められた商品サイズに適したレール幅を有するラックガイドが敷設されて、リサイクル瓶など傷がある場合でも商品の搬出がレールの傾斜だけで円滑に行えるようにしている。そのために、この自動販売機を設置した後、従来販売の商品サイズが異なる新商品に変更しようとするとその商品に合わせたラックガイドに交換する必要があった。
【０００５】
この発明は上記課題を解決するためになされたもので、その目的とするところは、販売する商品の全種類に対しラックガイドを変更することなく対応できる自動販売機を提供することにある。
【０００６】
【課題を解決するための手段】
上記課題を解決するために請求項１記載の発明は、本体キャビネット内に断熱区画し、前面を断熱性の内扉で開閉可能に閉鎖した商品収納庫内に収納した商品ラックに収納して冷蔵保管された商品を、一個宛搬出して、内扉に開口した搬出口に向かって下り勾配にしたシュータ上を滑らせて搬送して、外扉の内側に設けた商品取出口バケットに搬出して販売に供する自動販売機において、前記商品ラックは、商品を載置する室の底面に断面形状が半円形の４本のレールを所定の間隔で平行に並べたラックガイドを備え、当該ラックガイドは、鋼板の両縁部を２重折りに折り返して、折り返し部が外側のレールを形成するようにコ字状に折り曲げて形成した部材の内側に、鋼板の両縁部を２重折りに折り返して、折り返し部が前記部材より幅が狭く、前記部材の上に重ねた際に前記外側のレールと同じ高さになる内側のレールを形成するようにコ字状に折り曲げて形成した部材を前記部材の上に重ねて固定してなることを特徴とする。
【０００７】
上記構成により瓶サイズが小の場合は、アタッチメントを交換して商品の側面を隔壁の固定リブとアタッチメントとにより支持して、瓶サイズが小に適した２本のレール上に乗せれば、安定して立てて保管することが可能になり、大サイズの商品に対してはアタッチメントを交換するとともに外側のレールが大サイズの商品に適した外側のレールと内側のレールとの４本のレールで支持すれば安定して立てて保管することが可能になる。また、レールの頂部の断面を半円形にしているので商品との接触面積を少なくできて商品の搬送を容易にすることが可能になる。
【０００８】
また、上記構成によりレール頂部の耐摩耗性が向上するので長期に安定して使用することが可能になる。
【０００９】
【発明の実施の形態】
図１はこの発明の実施の形態の主要部の構成を示し、（ａ）は商品ラックの外観図、（ｂ）は（ａ）の出口側の一部を拡大した図を示す。図２は図１を搭載した自動販売機の外観図を示し、（ａ）は外扉の正面図、（ｂ）は外扉および内扉を開放した図を示す。図３は図１のラックガイドの外観図を示す。図４は図１の商品ラックで販売が可能な商品の外形図を示す。この図１〜図４において、１は本体キャビネット、２は本体キャビネット１にヒンジ取付けされた外扉、３は本体キャビネット１内に断熱区画された商品収納庫４の前面を開閉可能に閉鎖する断熱性の内扉、５は商品、６は商品５を隔壁で複数室に仕切りした各室に一列に並べて載置して、商品５が載置される底面を出口側に向かって下り勾配になるように取付けられた商品ラック、６ｂは商品５の片方の側面を支持するアタッチメント、６ｃはアタッチメント６ｂで支持された商品の支持点の反対側を支持する隔壁の固定リブ、７は商品ラック６から搬出された商品５を内扉に開口した搬出口のフラッパ８を経て外扉２の内側に取付けられて外側の商品取出口に連通する商品取出口バケット（図示せず）に導くシュータ、１０は商品ラック６の底面に敷設したラックガイドを示す。
【００１０】
この図１〜図４において、本体キャビネット１内に断熱区画された商品収納庫４は、前面を本体キャビネット１にヒンジ取付けされた内扉３で閉鎖されており、本体キャビネット１の下部に配備した冷凍機から循環する冷媒を蒸発させる冷却器により冷却されている。また、内扉３の外側は外扉２により閉鎖されている。そして、商品収納庫４内に保存される商品５は隔壁で仕切られた商品ラック６の室に一列に並べてラックガイド１０のレールとアタッチメント６ｂと、隔壁の固定リブ６ｃとで支持されて保存される。
【００１１】
商品ラック６は下部の取付脚を商品収納庫４内の段違いの受台（図示せず）に引出し可能に係止して、商品５の搬出方向に下り勾配に取付けられている。ラックガイド１０は頂部が半円形の断面形状をした４本の平行なレールを台上に並べて構成しており商品ラック６の各室の底面に敷設されている。この構成において、販売指令により選択された商品５が商品ラック６のラックガイド１０を滑って一個宛切り出されてシュータ７に乗り移ると、商品５はシュータ７上を摺動して内扉３に開口した搬出口のフラッパ８を押し開けて、外扉２の内側の商品取出口バケットに搬出する。
【００１２】
商品取出口バケットは外扉２の商品取出口のフラッパを開ければ、そこから手を入れて商品５を取出すことができる。
【００１３】
図５はこの発明の他の実施の形態の主要部の構成図を示す。この図５において、ラックガイド１１は、鋼板の両端部を２重折りに折り返して、折り返し部が外側のレールを形成するようにコ字状に折り曲げて形成した部材１１ａの内側に、鋼板の両端部を２重折りに折り返して、折り返し部が前記部材より幅が狭く、前記部材の上に重ねた際に前記外側のレールと同じ高さになる内側のレールを形成するようにコ字状に折り曲げて形成した部材１１ｂを前記部材１１ａの上に重ねて固定して、所定間隔の平行な４本のレールを形成している。
【００１４】
【発明の効果】
この発明によれば、大きさの異なる商品に対してもラックガイドを替えないで販売でき、またリサイクル瓶で埃、汚れ、傷などの付いた商品でも支障無く搬出できる効果がある。
【図面の簡単な説明】
【図１】  この発明の実施の形態の主要部の構成を示し、（ａ）は商品ラックの外観図、（ｂ）は（ａ）の出口側の一部を拡大した図
【図２】  図１を搭載した自動販売機の外観図を示し、（ａ）は外扉の正面図、（ｂ）は外扉および内扉を開放した図
【図３】  図１のラックガイドの外観図
【図４】  図１の商品ラックで販売される商品の外形図
【図５】  この発明の他の実施の形態の主要部の構成図
【図６】  従来例の構成を示し、（ａ）は商品ラックの外観図、（ｂ）は（ａ）の出口側の一部を拡大した図
５      商品
６      商品ラック
６ｂ      アタッチメント
６ｃ      固定リブ
７      シュータ
８      フラッパ
１０、１１    ラックガイド
１１ａ、１１ｂ    部材
【図１】
0003700041.tif 000002
【図２】
0003700041.tif 000003
【図３】
0003700041.tif 000004
【図４】
0003700041.tif 000005
【図５】
0003700041.tif 000006
【図６】
0003700041.tif 000007